(57)【要約】【課題】  水圧を低下させず、水の勢いや水の量感を損なうことなしに、節水を実現することができる蛇口パイプの実現を目的とする。【解決手段】  一端で水道の水栓に接続され、他端に吐水口を備える蛇口パイプ１０であって、その内径rがｒ＜１４ｍｍであり、より好ましくは９．５ｍｍ＞ｒ＞４ｍｍであることを特徴とする。【選択図】  図１
0003149791.tif 000002
【実用新案登録請求の範囲】
【請求項１】
一端で水道の水栓に接続され、他端に吐水口を備える蛇口パイプであって、その内径ｒが
ｒ＜１４ｍｍ
であり、より好ましくは
９．５ｍｍ＞ｒ＞４ｍｍ
であることを特徴とする蛇口パイプ。
【請求項２】
その外径Ｒと内径ｒの間の管壁の厚みが前記水栓との接続部や前記吐水口などの端部で厚く中央部でこの端部よりも薄いことを特徴とする請求項１に記載の蛇口パイプ。
【請求項３】
その外径Ｒが１２．５ｍｍ±１ｍｍであり、前記管壁の厚みは端部で２．０〜３．０ｍｍ、中央部で１．０〜２．０ｍｍであることを特徴とする請求項２に記載の蛇口パイプ。
【請求項４】
その外径Ｒが１０±１ｍｍであり、前記管壁の厚みは端部で２．５〜３．５ｍｍ、中央部で１．５〜２．５ｍｍであることを特徴とする請求項２に記載の蛇口パイプ。
【考案の詳細な説明】
【技術分野】
【０００１】
本発明は、蛇口パイプに関し、ことにその水栓と開口部の間の管路内径を狭くしたことによって節水を図る蛇口パイプに関する。
【背景技術】
【０００２】
水道の蛇口から出る水の量を節約するために、節水具を設ける技術が従来から知られている。従来の節水具や節水コマは、主として蛇口からの水の流量を制限して節水を行うものであった。しかし流量が減ると、水圧も減り、水の勢いや水の量感が減って、使用者は物足りなさや違和感を感じることになる。ことに流れ出る水の形状にボリューム感が無いとちょろちょろと水が流れているように感じられて物足りなさが一層大きくなる。この問題を解決する方向として水流の流路を複数に分割して水量を節減するとともにボリューム感を維持する節水具が開示されている（特許文献１、特許文献２参照）。
【０００３】
しかし、これらの節水具は、構造が複雑になる分、高価であり、また、水流同士が衝突しあって雑音の発生源になりやすいなどの問題があった。さらに、構造が複雑な分、水圧が大きく変動したり、高層マンションや団地の高層階で水圧の低いところでは、余計に流れ出る水の水量が少なく感じられるという問題があった。    
【特許文献１】実用新案登録第２５６２２８３号公報
【特許文献２】実用新案登録第３０９５７８７号公報
【考案の開示】
【考案が解決しようとする課題】
【０００４】
以上に述べたように、従来からある節水具や節水コマは、蛇口からの水の流量を制限して節水を行うため、水の勢いや水の量感が減って、使用者は物足りなさや違和感を感じることがあった。この問題を解決するため、水流の流路を複数に分割しても必ずしもボリューム感を維持することができずことに水圧が低下したときに問題が多かった。また、取り付けが難しく、装着後に場所が移動してしまうなどの問題がある場合もあった。
【０００５】
本発明は、この様な問題を解決して、水圧を低下させず、水の勢いや水の量感を損なうことなしに、節水を実現することができる蛇口パイプの実現を目的とする。
【課題を解決するための手段】
【０００６】
上記課題を解決するため、本発明の蛇口パイプは、一端で水道の水栓に接続され、他端に吐水口を備える蛇口パイプであって、その内径ｒがｒ＜１４ｍｍであり、より好ましくは９．５ｍｍ＞ｒ＞４ｍｍであることを特徴とする。
【０００７】
ここで、本発明の蛇口パイプは、その外径Ｒと内径ｒの間の管壁の厚みが端部で厚く中央部で薄いことを特徴とする。
【０００８】
また、本発明の蛇口パイプは、その外径Ｒが１２．５ｍｍ±１ｍｍであり、前記管壁の厚みは端部で２．０〜３．０ｍｍ、中央部で１．０〜２．０ｍｍであることを特徴とする。
【０００９】
さらに、本発明の蛇口パイプは、その外径Ｒが１０±１ｍｍであり、前記管壁の厚みは端部で２．５〜３．５ｍｍ、中央部で１．５〜２．５ｍｍであることを特徴とする。
【考案の効果】
【００１０】
以上のように、本発明に係る蛇口パイプは、その内径を流速が低下する程度まで従来のものに比べて細くし、その間壁の厚みを厚くしたため、流量を減らして節水を図ることを可能にするとともに、水圧を上げて水の勢いや水の量感を低下させないようにすることができる。
【考案を実施するための最良の形態】
【００１１】
以下、図面を参照しつつ本発明に係る蛇口パイプ（スパウト）の実施形態を詳細に説明する。なお、以下の説明は発明をより深く理解するためのものであって、特許請求の範囲を限定するためのものではない。
【００１２】
一般に流体配管の径が細くなると、流体の流速が速くなって圧力が低くなる現象が生まれる。しかしながら、流体配管の径が所定の値よりもさらに細くなると、流体の粘性によって流体と管壁の間の抵抗が大きくなり、流体の流速はかえって低下するようになり、流速が低下すると圧力が高くなる現象が生じる。
本発明は、このような流体の現象を節水に生かすことを考えてなされたもので、単位時間当たりの流体の流量を減らしながら、水圧を上げて水の勢いや水の量感を低下させないで節水ができるようにすることを目的としている。
【００１３】
本発明の節水効果を確認するため、本発明の一実施形態に沿った２つのタイプのＵ型蛇口パイプの試作品を作成し、実際に水を流してその節水効果を確かめ、図２の図表にこの２つのタイプの試作品の諸元を従来型の蛇口パイプと比較して示した。
また、図１（ａ）に、本発明の蛇口パイプの試作品のうちのタイプＢの側面図、図１（ｂ）にその断面図を示す。
図１及び図２に添って、本発明の一実施形態の構成と機能について説明する。
【００１４】
図１に示すように、試作した蛇口パイプ１０は、Ｕ型のものであり、吐水口１とパイプ部２と接続部３とから構成されている。このような構成であるため、接続部３で水線出口と接続して簡単に従来品と置き換えて用いることができる。
試作品と比較する従来型の流体の流速はパイプ部２の外径が、図２の図表に示したように１６．０ｍｍで、管壁の厚みが１．０ｍｍ、内径ｒは１４．０ｍｍである。
これに対して、試作品のタイプＡのものは、外径Ｒが１２．５ｍｍで、管壁の厚みが接続部３の附近で２．５ｍｍ、パイプ部２で１．５ｍｍ、内径ｒはパイプ部２で９．５ｍｍである。
また、試作品のタイプＢのものは、外径Ｒが１０．０ｍｍで、管壁の厚みが接続部３の附近で３．０ｍｍ、パイプ部２で２．０ｍｍ、内径ｒはパイプ部２で６．０ｍｍである。
パイプ部２の長さは、両タイプとも１７０ｍｍから３００ｍｍの範囲とした。
内径ｒを狭くすると、先に述べた流体の流速の低下から管壁にかかる圧力が増える。このため、蛇口パイプの耐久性と強度を上げるために管壁の厚みを厚くした。ことに、水栓との接続部３では部分的に圧力が加わることがあるため、途中のパイプ部２よりも管壁の厚みを厚くしている。
【００１５】
この３種類の蛇口パイプで実際に水を流してその効果を比較した。実験は３リットル容器を満たすに要する時間の比較で行った。
従来の１６．０ｍｍ外径の蛇口パイプで３リットル容器を満たすに要する時間は、図２の図表の５行目に示したように８．６２秒である。
これに対して試作品のタイプＡのものは、１２．６０秒、タイプＢのものは、１２．３０秒かかった。これから分当たりの流量を
３／３リットル容器を満たすに要する時間（秒）×６０
で求める（注１）。
この結果は、図２の図表の６行目に示したように、流量は従来のもので２０．９［リットル／分］、タイプＡのもので１４．３［リットル／分］、タイプＢのもので１４．６［リットル／分］となる。
【００１６】
次に、タイプＡのものの流量及びタイプＢのものの流量から従来のものの流量を引いて流量差を求める（注２）。これを図２の図表の７行目に示す。
さらに、この流量差を従来の分当たりの流量で割って％表示したものを増減率［％］として図２の図表の８行目に示す（注３）。
これから、本発明の蛇口パイプ１０は、タイプＡ、タイプＢとも３０％以上の節水が見込めることが分かる。
なお、本実施形態の蛇口パイプ１０を用いても、吐水口１での水流の勢いや量感は従来品に比べて見劣りせず、かつ、雑音の発生はなかった。
【００１７】
以上の本発明の実施形態に沿った試作品に対する試験結果から本発明の諸条件をまとめると次のようになる。
（１）本発明は一端で水道の水栓に接続され、他端に吐水口を備える蛇口パイプであって、その内径ｒは水の流速が低下する程度まで細くする。すなわち、少なくとも従来の１６ｍｍ外径型の１４ｍｍよりも細く、さらに好ましくは、外径Ｒが１０ｍｍのタイプＢ試作品の水栓側接続部３での管壁が３ｍｍの場合の４ｍｍ径よりも太く、外径Ｒが１２．５ｍｍのタイプＡ試作品のパイプ部２での管壁が１．５ｍｍの場合の９．５ｍｍ径よりも細くする。
（２）管壁を従来よりも厚くし、ことに吐水口１や接続部３などの端部で厚く、パイプ部２などの中央部で端部よりも薄くする。
（３）タイプＡ試作品にある幅を持たせて考えると、その外径Ｒが１２．５ｍｍ±１ｍｍであり、管壁の厚みは端部で２．０〜３．０ｍｍ、中央部で１．０〜２．０ｍｍであることを特徴とする。
（４）タイプＢ試作品にある幅を持たせて考えると、その外径Ｒが１０±１ｍｍであり、管壁の厚みは端部で２．５〜３．５ｍｍ、中央部で１．５〜２．５ｍｍであることを特徴とする。
【００１８】
このようにすることにより、水流の圧力や勢いを減ずることなく節水が可能で、パイプ部２の径が細くなった分、作業スペースがとれ、従来品と簡単に置き換えることができ、かつ、一目で節水部品であることの見分けが付く蛇口パイプを実現することができる。
また、以上では、Ｕ型のものについて説明したが、ＵＦ型、Ｓ型、Ｚ型、ＵＨパイプ型、スワン型、フレキシブル型、回転型など他の形態の蛇口パイプにも用いることができるのはいうまでも無い。
【産業上の利用可能性】
【００１９】
本発明は、以上に述べたように、水流の圧力や勢いを減ずることなく節水が可能な蛇口パイプを提供できるので、家庭用、業務用を問わず、炊事場、浴室などに広く用いることができる。
【図面の簡単な説明】
【００２０】
【図１】本発明に係る蛇口パイプの一実施形態の側面図および断面図である。
【図２】図１に示す実施形態の諸元を示す説明図表である。
【符号の説明】
【００２１】
１    吐水口
２    パイプ部
３    接続部
１０  蛇口パイプ  
【図１】
0003149791.tif 000003
【図２】
0003149791.tif 000004
【手続補正書】
【提出日】平成21年2月6日(2009.2.6)
【手続補正１】
【補正対象書類名】実用新案登録請求の範囲
【補正対象項目名】全文
【補正方法】変更
【補正の内容】
【実用新案登録請求の範囲】
【請求項１】
一端で水道の水栓に接続され、他端に吐水口を供える蛇口パイプであって、その内径ｒが
９．５ｍｍ＞ｒ＞４ｍｍ
であることを特徴とする蛇口パイプ。
【請求項２】
その外径Ｒと内径ｒの間の管壁の厚みが前記水栓との接続部や前記吐水口などの端部で厚く中央部でこの端部よりも薄いことを特徴とする請求項１に記載の蛇口パイプ。
【請求項３】
その外径Ｒが１２．５ｍｍ±１ｍｍであり、前記管壁の厚みは端部で２．０〜３．０ｍｍ、中央部で１．０〜２．０ｍｍであることを特徴とする請求項２に記載の蛇口パイプ。
【請求項４】
その外径Ｒが１０±１ｍｍであり、前記管壁の厚みは端部で２．５〜３．５ｍｍ、中央部で１．５〜２．５ｍｍであることを特徴とする請求項２に記載の蛇口パイプ。
【手続補正２】
【補正対象書類名】明細書
【補正対象項目名】０００６
【補正方法】変更
【補正の内容】
【０００６】
上記課題を解決するため、本発明の蛇口パイプは、一端で水道の水栓に接続され、他端に吐水口を備える蛇口パイプであって、その内径ｒが９．５＞ｒ＞４ｍｍであることを特徴とする。